【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって、システム情報を含む通信を受信することと、前記通信は、同期通信が搬送され得る潜在的リソースのセット中に含まれるリソースのセット以外のリソース中で受信され、ここにおいて、前記システム情報は、潜在的リソースの前記セット中に含まれるリソースの前記セットを識別することに関連付けられた情報を含む、
潜在的リソースの前記セットに関連付けられたレートマッチングルールを決定することと、ここにおいて、前記レートマッチングルールは、潜在的リソースの前記セット中に含まれるすべてのリソースが同期通信を搬送することを示す第１のルール、潜在的リソースの前記セット中のリソースが同期通信を搬送しないことを示す第２のルール、リソースの前記セットが制御情報中で識別されることを示す第３のルール、のうちの１つである、
前記ＵＥによって、および潜在的リソースの前記セットに関連付けられた前記レートマッチングルールに少なくとも部分的に基づいて、前記システム情報を受信することに関連付けられたデレートマッチングを実施することと、ここにおいて、デレートマッチングは、前記第１のルールに基づいて、潜在的リソースの前記セット中のすべてのリソースの周りでデレートマッチングすることによってデレートマッチングを実施すること、前記第２のルールに基づいて、潜在的リソースの前記セット中のどのリソースの周のデレートマッチングもなしにデレートマッチングを実施すること、前記第３のルールに基づいて、前記制御情報に従うデレートマッチングに少なくとも部分的に基づいてデレートマッチングを実施すること、のうちの１つを備える、
を備える、方法。
【請求項２】
前記制御情報はダウンリンク制御情報（ＤＣＩ）である、請求項１に記載の方法。
【請求項３】
前記システム情報は、残存最小システム情報（ＲＭＳＩ）、システム情報ブロック１（ＳＩＢ１）、または最小システム情報（ＭＳＩ）である、請求項１に記載の方法。
【請求項４】
前記同期通信は、少なくとも１つの同期信号（ＳＳ）ブロックを含む、請求項１に記載の方法。
【請求項５】
前記通信は、物理ダウンリンク制御チャネル（ＰＤＣＣＨ）に関連付けられた、請求項１に記載の方法。
【請求項６】
前記通信は、物理ダウンリンク共有チャネル（ＰＤＳＣＨ）に関連付けられた、請求項１に記載の方法。
【請求項７】
潜在的リソースの前記セットは、６４個の同期通信を搬送することに関連付けられたリソースを含む、請求項１に記載の方法。
【請求項８】
前記通信は、ミリメートル波（ｍｍＷ）周波数に関連付けられた、請求項１に記載の方法。
【請求項９】
前記システム情報は、前記デレートマッチングを実施することに少なくとも部分的に基づいて受信される、請求項１に記載の方法。
【請求項１０】
前記通信は第１の通信であり、リソースの前記セットはリソースの第１のセットであり、
前記方法は、
制御情報を含む第２の通信を受信することと、ここにおいて、
前記制御情報は、同期通信を搬送するリソースの第２のセットを識別する情報を含み、
リソースの前記第２のセットを識別する前記情報は、リソースの前記第１のセットを識別する情報をオーバーライドし、
リソースの前記第１のセットを識別する前記情報は、前記システム情報に少なくとも部分的に基づいて決定され、
リソースの前記第２のセットを識別する前記情報に少なくとも部分的に基づいて、前記第２の通信中に含まれる情報を決定することと、
をさらに備える、請求項１に記載の方法。
【請求項１１】
前記第２の通信がページング通信である、請求項１０に記載の方法。
【請求項１２】
前記第２の通信がランダムアクセス応答である、請求項１０に記載の方法。
【請求項１３】
前記制御情報がダウンリンク制御情報（ＤＣＩ）である、請求項１０に記載の方法。
【請求項１４】
前記通信がミニスロット中で通信される、請求項１に記載の方法。
【請求項１５】
ワイヤレス通信のためのデバイスであって、
メモリと、前記メモリに動作可能に結合された１つまたは複数のプロセッサとを備え、前記メモリおよび前記１つまたは複数のプロセッサは、
システム情報を含む通信を受信することと、前記通信は、同期通信が搬送され得る潜在的リソースのセット中に含まれるリソースのセット以外のリソース中で受信され、ここにおいて、前記システム情報は、潜在的リソースの前記セット中に含まれるリソースの前記セットを識別することに関連付けられた情報を含む、
潜在的リソースの前記セットに関連付けられたレートマッチングルールを決定することと、ここにおいて、前記レートマッチングルールは、潜在的リソースの前記セット中に含まれるすべてのリソースが同期通信を搬送することを示す第１のルール、潜在的リソースの前記セット中のリソースが同期通信を搬送しないことを示す第２のルール、リソースの前記セットが制御情報中で識別されることを示す第３のルール、のうちの１つである、
潜在的リソースの前記セットに関連付けられた前記レートマッチングルールに少なくとも部分的に基づいて、前記システム情報を受信することに関連付けられたデレートマッチングを実施することと、ここにおいて、デレートマッチングは、前記第１のルールに基づいて、潜在的リソースの前記セット中のすべてのリソースの周りでデレートマッチングすることによってデレートマッチングを実施すること、前記第２のルールに基づいて、潜在的リソースの前記セットのどのリソースの周りのデレートマッチングもなしにデレートマッチングを実施すること、前記第３のルールに基づいて、前記制御情報に従うデレートマッチングに少なくとも部分的に基づいてデレートマッチングを実施すること、のうちの１つを備える、
を行うように構成された、デバイス。
【手続補正２】
【補正対象書類名】明細書
【補正対象項目名】０１６３
【補正方法】変更
【補正の内容】
【０１６３】
[00176]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に本願の出願当初の特許請求の範囲に記載された発明を付記する。
［Ｃ１］
ユーザ機器（ＵＥ）によって、システム情報を含む通信を受信することと、ここにおいて、
前記システム情報は、同期通信を搬送するリソースのセットを識別することに関連付けられた情報を含み、
リソースの前記セットは、同期通信が搬送され得る潜在的リソースのセット中に含まれる、
前記ＵＥによって、およびレートマッチングルールに少なくとも部分的に基づいて、前記システム情報を受信することに関連付けられたデレートマッチングを実施することと、
ここにおいて、前記レートマッチングルールは、潜在的リソースの前記セットに関してデレートマッチングを実施することに関連付けられたルールである、
を備える、方法。
［Ｃ２］
前記レートマッチングルールは、潜在的リソースの前記セットのすべてのリソースが同期通信を搬送することを示し、
前記デレートマッチングは、潜在的リソースの前記セットのすべてのリソースの周りのデレートマッチングに少なくとも部分的に基づいて実施される、
Ｃ１に記載の方法。
［Ｃ３］
前記レートマッチングルールは、潜在的リソースの前記セットのどのリソースも同期通信を搬送しないことを示し、
前記デレートマッチングは、潜在的リソースの前記セットのうちのどのリソースの周りのデレートマッチングもなしに実施される、
Ｃ１に記載の方法。
［Ｃ４］
前記レートマッチングルールは、リソースの前記セットが制御情報中で識別されることを示し、
前記デレートマッチングは、前記制御情報に従うデレートマッチングに少なくとも部分的に基づいて実施される、
Ｃ１に記載の方法。
［Ｃ５］
前記制御情報はダウンリンク制御情報（ＤＣＩ）である、Ｃ４に記載の方法。
［Ｃ６］
前記システム情報は、残存最小システム情報（ＲＭＳＩ）、システム情報ブロック１（ＳＩＢ１）、または最小システム情報（ＭＳＩ）である、Ｃ１に記載の方法。
［Ｃ７］
前記同期通信は、少なくとも１つの同期信号（ＳＳ）ブロックを含む、Ｃ１に記載の方法。
［Ｃ８］
前記通信は、物理ダウンリンク制御チャネル（ＰＤＣＣＨ）に関連付けられた、Ｃ１に記載の方法。
［Ｃ９］
前記通信は、物理ダウンリンク共有チャネル（ＰＤＳＣＨ）に関連付けられた、Ｃ１に記載の方法。
［Ｃ１０］
潜在的リソースの前記セットは、６４個の同期通信を搬送することに関連付けられたリソースを含む、Ｃ１に記載の方法。
［Ｃ１１］
前記通信は、ミリメートル波（ｍｍＷ）周波数に関連付けられた、Ｃ１に記載の方法。
［Ｃ１２］
前記システム情報は、前記デレートマッチングを実施することに少なくとも部分的に基づいて受信される、Ｃ１に記載の方法。
［Ｃ１３］
前記通信は第１の通信であり、リソースの前記セットはリソースの第１のセットであり、
前記方法は、さらに、
制御情報を含む第２の通信を受信することと、ここにおいて、
前記制御情報は、同期通信を搬送するリソースの第２のセットを識別する情報を含み、
リソースの前記第２のセットを識別する前記情報は、リソースの前記第１のセットを識別する情報をオーバーライドし、
リソースの前記第１のセットを識別する前記情報は、前記システム情報に少なくとも部分的に基づいて決定され、
リソースの前記第２のセットを識別する前記情報に少なくとも部分的に基づいて、前記第２の通信中に含まれる情報を決定することと、
をさらに備える、Ｃ１に記載の方法。
［Ｃ１４］
前記第２の通信がページング通信である、Ｃ１３に記載の方法。
［Ｃ１５］
前記第２の通信がランダムアクセス応答である、Ｃ１３に記載の方法。
［Ｃ１６］
前記制御情報がダウンリンク制御情報（ＤＣＩ）である、Ｃ１３に記載の方法。
［Ｃ１７］
前記通信がミニスロット中で通信される、Ｃ１に記載の方法。
［Ｃ１８］
ワイヤレス通信のためのデバイスであって、
メモリと、前記メモリに動作可能に結合された１つまたは複数のプロセッサとを備え、前記メモリおよび前記１つまたは複数のプロセッサは、
システム情報を含む通信を受信することと、ここにおいて、
前記システム情報は、同期通信を搬送するリソースのセットを識別することに関連付けられた情報を含み、
リソースの前記セットは、同期通信が搬送され得る潜在的リソースのセット中に含まれ、
レートマッチングルールに少なくとも部分的に基づいて、前記システム情報を受信することに関連付けられたデレートマッチングを実施することと、
ここにおいて、前記レートマッチングルールは、潜在的リソースの前記セットに関してデレートマッチングを実施することに関連付けられたルールである、
を行うように構成された、デバイス。
［Ｃ１９］
前記レートマッチングルールは、潜在的リソースの前記セットのどのリソースも同期通信を搬送しないことを示し、
前記デレートマッチングは、潜在的リソースの前記セットのうちのどのリソースの周りのデレートマッチングもなしに実施される、
Ｃ１８に記載のデバイス。
［Ｃ２０］
前記システム情報は、残存最小システム情報（ＲＭＳＩ）、システム情報ブロック１（ＳＩＢ１）、または最小システム情報（ＭＳＩ）である、Ｃ１８に記載のデバイス。
［Ｃ２１］
前記通信は、物理ダウンリンク制御チャネル（ＰＤＣＣＨ）に関連付けられた、Ｃ１８に記載のデバイス。
［Ｃ２２］
前記通信は、物理ダウンリンク共有チャネル（ＰＤＳＣＨ）に関連付けられた、Ｃ１８に記載のデバイス。
［Ｃ２３］
潜在的リソースの前記セットは、６４個の同期通信を搬送することに関連付けられたリソースを含む、Ｃ１８に記載のデバイス。
［Ｃ２４］
前記通信は、ミリメートル波（ｍｍＷ）周波数に関連付けられた、Ｃ１８に記載のデバイス。
［Ｃ２５］
基地局によって、少なくとも１つの同期通信を送信することと、ここにおいて、
前記少なくとも１つの同期通信は、リソースのセット中で送信され、
リソースの前記セットは、同期通信が搬送され得る潜在的リソースのセット中に含まれ、
前記基地局によって、システム情報を含む通信を送信することと、ここにおいて、
前記システム情報は、リソースの前記セットを識別することに関連付けられた情報を含み、
前記通信は、リソースの前記セット以外のリソース中で送信される、
を備える、方法。
［Ｃ２６］
前記システム情報は、残存最小システム情報（ＲＭＳＩ）、システム情報ブロック１（ＳＩＢ１）、または最小システム情報（ＭＳＩ）を備える、Ｃ２５に記載の方法。
［Ｃ２７］
前記同期通信は、少なくとも１つの同期信号（ＳＳ）ブロックを含む、Ｃ２５に記載の方法。
［Ｃ２８］
前記通信は、物理ダウンリンク共有チャネル（ＰＤＳＣＨ）に関連付けられた、Ｃ２５に記載の方法。
［Ｃ２９］
ワイヤレス通信のためのデバイスであって、
メモリと、前記メモリに動作可能に結合された１つまたは複数のプロセッサとを備え、前記メモリおよび前記１つまたは複数のプロセッサは、
少なくとも１つの同期通信を送信することと、ここにおいて、
前記少なくとも１つの同期通信は、リソースのセット中で送信され、
リソースの前記セットは、同期通信が搬送され得る潜在的リソースのセット中に含まれ、
システム情報を含む通信を送信することと、ここにおいて、
前記システム情報は、リソースの前記セットを識別することに関連付けられた情報を含み、
前記通信は、リソースの前記セット以外のリソース中で送信され、
を行うように構成された、デバイス。
［Ｃ３０］
前記システム情報は、残存最小システム情報（ＲＭＳＩ）、システム情報ブロック１（ＳＩＢ１）、または最小システム情報（ＭＳＩ）である、Ｃ２９に記載のデバイス。